(57)【要約】【課題】レーベル面にドライブ装置により記録が可能な光ディスクにおいて、レーベル面への記録処理にともなって光ディスクを無駄に消費しないような情報記録媒体および情報装置を提供する。【解決手段】本発明の情報記録媒体は、データ面とレーベル面とを含み、データ面は情報記録媒体を識別する第１の識別情報124を含み、レーベル面は情報記録媒体を識別する第２の識別情報114を含み、第１の識別情報124と第２の識別情報114はデータ面とレーベル面が一つの情報記録媒体を構成することを示す情報を含む。【選択図】図１
2006331517.tif 000002
【特許請求の範囲】
【請求項１】
データが記録または再生されるデータ面と、レーベル情報が記録または再生されるレーベル面とを含み、
前記データ面は、前記情報記録媒体を識別する第１の識別情報を含み、
前記レーベル面は、前記情報記録媒体を識別する第２の識別情報を含み、
前記第１の識別情報と第２の識別情報は、前記データ面と前記レーベル面が一つの情報記録媒体を構成することを示す情報を含むことを特徴とする、
情報記録媒体。
【請求項２】
請求項１記載の前記情報記録媒体の前記レーベル面に前記レーベル情報を記録する記録装置であって、
前記第１の識別情報と、前記第２の識別情報を比較し、
前記第１の識別情報と第２の識別情報が、前記データ面と前記レーベル面が一つの前記情報記録媒体を構成することを示すかどうかを判断し、
一つの前記情報記録媒体を構成することを示すと判断した場合は、
前記レーベル情報を前記レーベル面に記録することを特徴とする、
記録装置。
【請求項３】
データが記録または再生されるデータ面と、レーベル情報を記録するためのレーベル面とを含み、
前記記録手段による前記レーベル情報が前記レーベル面に記録可能かどうかを示すレーベル面記録可能情報を、前記データ面に含むことを特徴とする、
情報記録媒体。
【請求項４】
請求項３記載の前記情報記録媒体の前記レーベル面に前記レーベル情報を記録する記録装置であって、
前記レーベル面記録可能情報を前記データ面から再生し、
前記レーベル面記録可能情報が、前記レーベル面へのレーベル情報の記録が可能であることを示しているかどうかを判断し、
記録可能であると判断した場合は、
前記レーベル情報の生成を行うことを特徴とする、
記録装置。
【発明の詳細な説明】
【技術分野】
【０００１】
本発明は、情報記録媒体およびその情報記録媒体に情報を記録する記録装置に関する。
【背景技術】
【０００２】
近年、デジタルデータの記録に様々な形態の情報記録媒体が用いられており、繰り返しデータが書き換え可能な書き換え型光ディスクや、記録回数が１回に限られている一方、媒体の価格が安価である追記型光ディスクが存在する。
【０００３】
このような書き換え型光ディスクの例として、ＤＶＤ−ＲＡＭディスク、ＢＤ−ＲＥ（Ｂｌｕ−ｒａｙ  Ｄｉｓｃ  Ｒｅｗｒｉｔａｂｌｅ）等がある。また、追記型光ディスク光ディスクの例として、ＤＶＤ―Ｒディスク、ＢＤ−Ｒ（Ｂｌｕ−ｒａｙ  Ｄｉｓｃ  Ｒｅｃｏｒｄａｂｌｅ）ディスク等がある。
【０００４】
このような光ディスクは、データを記録するデータ面と、その裏側であり、データ面に記録されたデータのタイトル（文字や画像）などを含むレーベル情報を記録するレーベル面を持つ。このレーベル面に対し、ドライブ装置によりレーベル情報を記録できる技術が知られている。
【０００５】
このような技術の一例としては「LightScribe」技術（http://www.lightscribe.com/）がある。
【０００６】
「LightScribe」技術に対応した光ディスクドライブ装置を用いることにより、例えば、ＤＶＤレコーダ装置により、録画済み番組のタイトルなどをレーベル面に記録することが可能になり、ディスクに記録されたコンテンツを把握しやすい利点がある。このようにレーベル面へのレーザーによる情報記録（印刷）においては特許文献１などで開示がなされている。
【特許文献１】特開２００５−４４５０２号公報
【発明の開示】
【発明が解決しようとする課題】
【０００７】
レーベル面へのレーベル情報を光ディスクドライブ装置による記録を行うとき、一般的な光ディスクドライブ装置の場合、いったん光ディスクをドライブ装置から取り出し、ディスク面を裏返して再度、光ディスクドライブ装置へ再挿入する必要がある。
【０００８】
このような再挿入の過程において、間違った光ディスクを挿入してしまう可能性がある。
【０００９】
間違った光ディスクを挿入してしまった場合、データ面に記録したデータと、レーベル面に記録したレーベル情報の内容が不整合となってしまう。レーベル面への記録においては、書き換えが不可能であり、このような不整合が発生した場合、この光ディスクを破棄し、別の光ディスクへの再度の記録を行わざるをえない。よって、光ディスクを無駄に消費してしまうことになる。
【００１０】
また、レーベル面への記録が可能な光ディスクと、不可能な光ディスクの両方が市場に存在する。
【００１１】
よって、ユーザが、光ディスクのデータ面へのデータの記録とレーベル面へ記録するレーベル情報の編集の作業を済ませた後、その光ディスクがレーベル面へのドライブ装置による記録に対応していないことに気がつくような状況が発生しうる。
【００１２】
特に、光ディスクが追記型である場合、データ面のデータを完全に書き換えることは不可能であるので、この光ディスクを破棄し、別の光ディスクへの再度の記録を行わざるをえない。よって、光ディスクを無駄に消費してしまうことになる。
【００１３】
本発明は上記の課題を解決するものであり、レーベル面にドライブ装置により記録が可能な光ディスクにおいて、レーベル面への記録処理にともなって、光ディスクを無駄に消費しないような情報記録媒体、その情報記録媒体に情報を記録する情報記録方法、および情報記録装置、その情報記録媒体に記録された情報を再生する情報再生方法および情報装置を提供することを目的とする。
【課題を解決するための手段】
【００１４】
前記従来の課題を解決するために、本発明の情報記録媒体は、記録再生手段によりデータが記録または再生されるデータ面と、前記記録再生手段によりレーベル情報が記録または再生されるレーベル面とを含み、前記データ面は、前記情報記録媒体を識別する第１の識別情報を含み、前記レーベル面は、前記情報記録媒体を識別する第２の識別情報を含み、前記第１の識別情報と第２の識別情報は、前記データ面と前記レーベル面が一つの情報記録媒体を構成することを示す情報を含むこととしたものである。
【００１５】
また本発明の記録装置は、上記情報記録媒体の前記レーベル面に前記レーベル情報を記録する記録装置であって、前記第１の識別情報と、前記第２の識別情報を比較し、前記第１の識別情報と第２の識別情報が、前記データ面と前記レーベル面が一つの前記情報記録媒体を構成することを示すかどうかを判断し、一つの前記情報記録媒体を構成することを示すと判断した場合は、前記レーベル情報を前記レーベル面に記録することとしたものである。
【００１６】
また本発明の情報記録媒体は、記録再生手段によりデータが記録または再生されるデータ面と、レーベル情報を記録するためのレーベル面とを含み、前記記録手段による前記レーベル情報が前記レーベル面に記録可能かどうかを示すレーベル面記録可能情報を、前記データ面に含むこととしたものである。
【００１７】
また本発明の記録装置は、上記情報記録媒体の前記レーベル面に前記レーベル情報を記録する記録装置であって、前記レーベル面記録可能情報を前記データ面から再生し、前記レーベル面記録可能情報が、前記レーベル面へのレーベル情報の記録が可能であることを示しているかどうかを判断し、記録可能であると判断した場合は、前記レーベル情報の生成を行うこととしたものである。
【発明の効果】
【００１８】
本発明によれば、レーベル面に光ディスクドライブ装置により記録が可能な光ディスクの利用において、光ディスクを無駄に消費しないような情報記録媒体および情報装置を提供することができる。
【発明を実施するための最良の形態】
【００１９】
以下、図面を参照しながら本発明の実施の形態を説明する。
【００２０】
（実施の形態１）
（１−１）情報記録媒体
図１Ａは、本発明の実施の形態における情報記録媒体１００のデータ面の外観を示す。
【００２１】
情報記録媒体１００として、追記型光ディスクであるＢＤ−Ｒディスクを例として以下の説明を行う。ＢＤ−Ｒディスクのデータ構造は、例えば、「ＳＣＳＩ  Ｍｕｌｔｉｍｅｄｉａ  Ｃｏｍｍａｎｄｓ−５」規格などに示される。情報記録媒体１００は、記録再生手段によりデータが記録または再生されるデータ面と、前記記録再生手段によりレーベル情報が記録または再生されるレーベル面とを含む。
【００２２】
情報記録媒体１００の最内周にリードイン領域１０１が配置されている。情報記録媒体１００の最外周にリードアウト領域１０３が配置されている。情報記録媒体１００のリードイン領域１０１とリードアウト領域１０３との間にデータ領域１０２が配置されている。
【００２３】
リードイン領域１０１には、後述する記録再生部３１４に含まれる光ピックアップが情報記録媒体１００へアクセスするときに必要な基準情報や、他の記録媒体との識別情報等が記録されている。リードアウト領域１０３にもリードイン領域１０１に記録されている情報と同様の情報が記録されている。
【００２４】
リードイン領域１０１、データ領域１０２およびリードアウト領域１０３には複数の物理セクタが割り付けられている。各物理セクタは最小のアクセス単位である。各物理セクタは物理セクタ番号（以降、ＰＳＮ）というアドレス情報により識別される。
【００２５】
複数の物理セクタを含むＥＣＣクラスタ（または、ＥＣＣブロック）を最小の単位としてデータの記録・再生が行われる。
【００２６】
図１Ｂは、本発明の実施の形態における情報記録媒体１００のレーベル面の外観を示す。
【００２７】
情報記録媒体１００の最内周に管理データ領域１１１が配置されている。その外側には、レーベル情報記録領域１１２が配置されている。
【００２８】
管理データ領域１１１は、レーベル面への記録位置を制御するための、トラッキングサーボ用のパターンが設けられている。
【００２９】
レーベル情報記録領域１１２には、特殊インクが塗布されており、光ピックアップに含まれるレーザを照射することにより、文字や画像などのレーベル情報が記録可能である。本実施の形態ではレーベル情報記録方式として例えば「LightScribe」技術を用いるが、記録方式として熱転写等の他の記録方式を用いることも可能である。記録方式によってはレーベル情報記録領域１１２に特殊インクが塗布されてなくてもよい。
【００３０】
図１Ｃは、情報記録媒体１００のレーベル面に記録される第２媒体情報１１３を示す。第２媒体情報１１３は第２媒体情報１１４を含む。
【００３１】
図１Ｂに示すように、第２媒体情報１１３は、情報記録媒体１００のレーベル面の管理データ領域１１１や、レーベル情報記録領域１１２に、それぞれ、第２媒体情報１１３Ａおよび第２媒体情報１１３Ｂとして記録される。
【００３２】
第２媒体情報１１３Ａは、例えば、情報記録媒体１００の製造時に記録される。
【００３３】
第２媒体情報１１３Ｂは、例えば、後述する情報記録媒体１００の初期化処理時に記録される。
【００３４】
第２媒体情報１１３は、レーベル面において、例えば、エンボス加工のピットや、バーコード状のマーク、その他所定のデータ形式により記録される。
【００３５】
図２Ａは、情報記録媒体１００のデータ面のデータ構造を示す。
【００３６】
図２Ａでは、図１Ａにおいて同心円状に示されているリードイン領域１０１、データ領域１０２およびリードアウト領域１０３を縦方向に配置して示している。
【００３７】
リードイン領域１０１は、ディスク製造時に生成されるエンボスによるピットなどによる記録済み領域と、ドライブ装置により記録可能な記録可能領域とからなる。
【００３８】
記録済み領域には、情報記録媒体１００の構造に関する情報や、制御データを含むＰＩＣ１２０を含む。
【００３９】
リードイン領域１０１の記録可能領域は、ディスク管理情報領域１０４Ａ、１０４Ｂや、一時ディスク管理情報領域１０４Ｃを含む。
【００４０】
リードアウト領域１０３は、ディスク管理情報領域１０５Ａ、１０５Ｂを含む。
【００４１】
図２Ｂは、情報記録媒体１００のデータ面に記録される第１媒体情報１２３を示す。
【００４２】
第１媒体情報１２３は、第１媒体識別情報１２４や、レーベル面記録可能情報１２５、レーベル面記録状態情報１２６を含む。
【００４３】
第１媒体識別情報１２４は、情報記録媒体１００を一意に識別するためのシリアル番号を含む。
【００４４】
レーベル面記録可能情報１２５は、情報記録媒体１００のレーベル面がドライブ装置による記録が可能であるかどうかの情報を含む。
【００４５】
レーベル面記録状態情報１２６は、情報記録媒体１００のレーベル面のドライブ装置による記録状態を示す情報を含む。例えば、
（状態１： レーベル面への記録が行われていない）
（状態２： レーベル面の一部の領域が記録済である）
（状態３： レーベル面の全ての領域が記録済である）
などの情報を含む。
【００４６】
また、上述の第２媒体識別情報１１４は、第１媒体識別情報１２４と同じ情報を含む。第１媒体識別情報１２４と第２媒体識別情報１１４の内容が一致する場合、そのデータ面とレーベル面は一つの情報記録媒体１００を構成することを意味する。
【００４７】
第１媒体情報１２３は、図２Ａに示すように、情報記録媒体１００のＰＩＣ１２０に第１媒体情報１２３Ａとして含まれる。
【００４８】
図３は、各ディスク管理情報領域に記録されるディスク管理構造２００のデータ構造である。
【００４９】
ディスク管理構造２００は、ディスク定義構造（ＴＤＤＳ）２０１、交替管理情報リスト（ＴＤＦＬ）、セッション管理情報（ＳＲＲＩ）などを含む。
【００５０】
ディスク定義構造２０１は、最新のＴＤＦＬやＳＲＲＩへの位置情報を含む。
【００５１】
第１媒体識別情報１２３が、第１媒体識別情報１２３Ｂとしてディスク定義構造２０１に含まれる。
【００５２】
第１媒体識別情報１２３Ｂは、例えば後述する初期化処理において記録される。
【００５３】
データ領域１０２は、内周交替領域１０６と、ユーザデータ領域１０８と、外周交替領域１０７とを含む。
【００５４】
ユーザデータ領域１０８は、ユーザデータを記録するために使用される領域である。
【００５５】
図４は、ユーザデータ領域１０８のデータ構造を示す。ユーザデータ領域１０８には複数のトラックが割り付けられている。
【００５６】
各トラックは、情報記録媒体１００上の連続領域である。情報記録媒体１００上に連続して配置される複数のトラックは、セッションを構成する。
【００５７】
なお、トラックは、ＤＶＤ−Ｒ規格の場合はＲＺｏｎｅ、ＢＤ−Ｒ規格の場合は、ＳＲＲ（Ｓｅｑｕｅｎｔｉａｌ  Ｒｅｃｏｒｄｉｎｇ  Ｒａｎｇｅ）と呼ばれる。
【００５８】
各トラックおよびセッションは、図３に示したＳＲＲＩによって管理される。
【００５９】
各トラックに対して、最後にデータが記録された位置を示すトラック内最終データ記録位置情報（以降、ＬＲＡ）がＳＲＲＩで管理される。
【００６０】
図４の場合、トラック＃１ ４０１とトラック＃２ ４０３に対して、ＬＲＡ４０２とＬＲＡ４０３となる。
【００６１】
本実施の形態においては、トラック毎にデータの記録が可能である。新たなデータの記録は、各トラックの先頭から行われ、トラック内においては連続的にデータが配置される（シーケンシャル記録）。そのトラック内でデータの記録が行われると、そのトラック内で最後に記録された位置がＬＲＡに反映される。
【００６２】
図４に示すように、ユーザデータ領域１０８上に記録されるユーザデータの管理はファイルシステムによって行われる。ファイルシステムが管理を行う空間は、ボリューム空間１０９と呼ばれる。
【００６３】
ボリューム空間には複数の論理セクタが割り付けられている。各論理セクタは論理セクタ番号（以降、ＬＳＮ）というアドレス情報により識別される。
【００６４】
なお、以下の説明においては、ファイルシステムを構成するボリューム／ファイル構造として情報記録媒体１００に記録される記述子やポインタ、メタデータパーティションやメタデータファイル等は、特に詳細な記載がない限り、ＩＳＯ／ＩＥＣ１３３４６規格あるいはＵＤＦ（Ｕｎｉｖｅｒｓａｌ  Ｄｉｓｋ  Ｆｏｒｍａｔ）規格に規定されたデータ構造を持つものとする。もちろん、他のファイルシステムを用いることも可能である。
【００６５】
このようなファイルシステムのデータ構造に、第1媒体情報１２３を含めることも可能である。例えば、図４に示すように、第1媒体情報１２３を、ＵＤＦ規格で規定されるＳｙｓｔｅｍ Ｓｔｒｅａｍ ４３１中に第1媒体識別情報１２３Ｃとして含んでもよい。
【００６６】
図５は、図４のファイルシステムにより管理されるディレクトリ／ファイル構造の例である。
【００６７】
図４では、例えば、ＢＤ−ＲＥ用ＡＶアプリケーション規格に従い、ＢＤＡＶディレクトリ下にＡＶデータが記録される。
【００６８】
さらに、“ＬＡＢＥＬ．ＤＡＴ” ４４３というファイルが記録されている。
【００６９】
このようなファイルのデータ中に、第1媒体情報１２３を含めることも可能である。例えば、図５に示すように、第1媒体情報１２３を、“ＬＡＢＥＬ．ＤＡＴ” ４４３中に第1媒体識別情報１２３Ｄとして含んでもよい。
（１−２）記録再生装置
図６は、本発明の実施の形態における、情報記録再生装置３００の構成を示す。
【００７０】
情報記録再生装置３００は、ホスト装置３０５とドライブ装置３１０とを含む。
【００７１】
ホスト装置３０５は、例えば、ＢＤ／ＤＶＤレコーダ、コンピュータシステムあるいはパーソナルコンピュータであり得る。
【００７２】
ドライブ装置３１０は、記録装置、再生装置、記録再生装置のいずれかであり得る。また、レーベル面への記録機能を備える。
【００７３】
ホスト装置３０５は、システム制御部３０１と、メモリ回路３０２とを含む。ホスト装置３０５は、ハードディスク装置３０４をさらに含んでもよい。ホスト装置３０５内の構成要素は、Ｉ／Ｏバス３０３を介して相互に接続されている。
【００７４】
システム制御部３０１は、例えば、システムの制御プログラムや演算用メモリを含むマイクロプロセッサによって実現され得る。システム制御部３０１は、ファイルシステムのボリューム構造／ファイル構造の記録・再生、後述するメタデータパーティション／ファイル構造の記録・再生、ファイルの記録・再生、リードイン／リードアウト領域の記録・再生などの処理の制御や演算を行う。
【００７５】
また、情報記録再生装置３００に接続された出力装置（モニタ、ＴＶなど）を用い、レーベル面へ記録するレーベル情報の生成・編集処理などの制御や演算を行う。
【００７６】
メモリ回路３０２は、ボリューム構造、ファイル構造、メタデータパーティション／ファイル構造およびファイル、レーベル情報の演算や一時保存などに使用される。
【００７７】
ドライブ装置３１０は、ドライブ制御部３１１と、メモリ回路３１２と、記録再生部３１４とを含む。記録再生部３１４は記録／再生用のレーザを含み、このレーザにより、データ面へのデータ記録と、レーベル面へのデータ記録が行われる。
【００７８】
ドライブ装置３１０内の構成要素は、内部バス３１３を介して相互に接続されている。
【００７９】
ドライブ制御部３１１は、例えば、ドライブの制御プログラムや演算用メモリを含むマイクロプロセッサによって実現され得る。ドライブ制御部３１１は、ディスク管理情報領域やデータ面へのデータの記録・再生、レーベル面へのデータの記録・再生などの処理の制御や演算を行う。
【００８０】
なお、図６に示されるシステム制御部３０１や、ドライブ制御部３１１は、ＬＳＩ等の半導体集積回路によって実現されてもよいし、汎用プロセッサとメモリ（例えばＲＯＭ）とによって実現されてもよい。
【００８１】
メモリ（例えばＲＯＭ）にはコンピュータ（例えば汎用プロセッサ）が実行可能なプログラムが格納されている。このプログラムは上述および後述する本発明の再生処理および記録処理を示しており、コンピュータ（例えば汎用プロセッサ）はこのプログラムに従って、本発明の再生処理および記録処理を実行する。
【００８２】
メモリ回路３１２は、ディスク管理情報領域や媒体識別情報に関するデータおよびドライブ装置３１０に転送されてきたデータやレーベル情報の演算や一時保存などに使用される。
（１−３）初期化処理手順
本実施の形態においては、図７のフローチャートを参照して、第１媒体情報１２３および第２媒体情報１１３を記録する初期化処理手順について説明する。
【００８３】
第１媒体情報１２３Ａおよび第２媒体情報１１３Ａは、情報記録媒体１００の製造時に記録されるものとする。
【００８４】
一方、第１媒体情報１２３Ｂ、１２３Ｃ、１２３Ｄや、第２媒体情報１１３Ｂは、初期状態において記録されておらず、図７に示す初期化処理の過程で記録される。
【００８５】
（ステップＳ１０１）データ面を記録可能な方向に、情報記録媒体１００をドライブ装置３１０に挿入する。
【００８６】
（ステップＳ１０２）システム制御部３０１は、ユーザに対してメッセージを提示し、先のステップで挿入した情報記録媒体１００が、レーベル面への記録が可能かどうかを問い合わせる。
【００８７】
（ステップＳ１０３）情報記録再生装置３００は、ユーザからの応答を受け、第１媒体情報をメモリ回路３０２中に生成する。
【００８８】
すなわち、レーベル面への記録が可能かどうかの情報をレーベル面記録可能情報１２５に設定する。
【００８９】
さらに、情報記録再生装置３００は第１媒体識別情報１２４に設定する値を生成し、設定する。
【００９０】
さらに、情報記録再生装置３００はレーベル面記録状態情報１２６に、レーベル面が未記録であることを示す情報を設定する。
【００９１】
また、第２媒体情報をメモリ回路３０２中に生成し、第２媒体識別情報１１４に第１媒体識別情報１２４と同じ情報を設定する。
【００９２】
第２媒体情報は、後のステップで必要となるので、メモリ回路３１２や３０２、ハードディスク装置３０４に保持しておく。
【００９３】
（ステップＳ１０４）情報記録再生装置３００は、情報記録媒体１００の初期化を行う。この初期化は、情報記録媒体１００に対する物理フォーマット（ディスク管理構造２００の記録など）、論理フォーマット（ファイルシステム情報の初期化）、アプリケーションデータの初期化（ファイル“ＬＡＢＥＬ．ＤＡＴ”の記録など）などを含む。
【００９４】
本ステップの過程において、先のステップで生成した第１媒体情報１２３を、第１媒体情報１２３Ｂ、１２３Ｃ、１２３Ｄとして記録する。第１媒体情報１２３Ａ、１２３Ｂ、１２３Ｃ、１２３Ｄについては、少なくとも一つ、あるいは、複数を記録してもよい。
【００９５】
（ステップＳ１０５）情報記録媒体１００が、レーベル面への記録機能を備えている場合には、処理はステップＳ１０６に進む。そうでなければ、処理は終了する。
【００９６】
（ステップＳ１０６）情報記録再生装置３００は、情報記録媒体１００を排出する。
【００９７】
（ステップＳ１０７）例えば、ユーザが、排出された情報記録媒体１００を裏返し、レーベル面へ記録可能な状態で情報記録再生装置３００へ挿入する。
【００９８】
（ステップＳ１０８）情報記録再生装置３００は、先のステップで作成した第２媒体情報１１３を、第２媒体情報１１３Ｂとして記録する。
【００９９】
以上より、本発明の情報記録再生装置３００による初期化処理を施された情報記録媒体１００は、第１媒体情報１２３および第２媒体情報１１３を持つようになる。
（１−４）記録処理手順
次に、図８に示すフローチャートを参照して、本実施の形態におけるデータ面およびレーベル面への記録処理の手順を説明する。
【０１００】
（ステップＳ２０１）データ面を記録可能な方向に、情報記録媒体１００をドライブ装置３１０に挿入する。
【０１０１】
（ステップＳ２０２）ドライブ制御部３１１は、リードイン領域１０１に含まれるデータを再生する。
【０１０２】
また、ホスト装置３０５から再生指示を受け、ファイルシステムの情報を再生する。
【０１０３】
本ステップにおいて、第1媒体識別情報１２３Ａ、１２３Ｂ、１２３Ｃ、１２３Ｄが再生され、メモリ回路３０２、あるいは、メモリ回路３１２、ハードディスク装置３０４に格納される。
【０１０４】
（ステップＳ２０３）情報記録再生装置３００は、ユーザからの指示や、あらかじめ与えられていた予約情報などに従い、情報記録媒体１００へのデータの記録（例えば、テレビ番組の録画）や再生を行う。
【０１０５】
（ステップＳ２０４）システム制御部３０１は、メモリ回路３０２に保持されているレーベル面記録可能情報１２５を参照し、情報記録媒体１００がレーベル面への記録機能を備えているかどうかを判断する。
【０１０６】
レーベル面への記録機能を備えている場合には、処理はステップＳ２０５に進む。そうでなければ、処理は終了する。
【０１０７】
さらに、レーベル面記録状態情報１２６を参照し、情報記録媒体１００がレーベル面での記録可能な領域が残っているかを判断してもよい。
【０１０８】
例えば、レーベル面記録状態情報１２６が（状態１： レーベル面への記録が行われていない）や（状態２： レーベル面の一部の領域が記録済である）である場合、レーベル面への記録可能な領域が残っているので、処理はステップＳ２０５に進む。
【０１０９】
レーベル面記録状態情報１２６が（状態３： レーベル面の全ての領域が記録済である）である場合、レーベル面への記録可能な領域が残っていないので、処理は終了する。
【０１１０】
（ステップＳ２０５）情報記録再生装置３００は、レーベル面に記録するレーベル情報の作成を行う。このデータの作成は、ユーザの操作などにより行われる場合もあるし、システム制御部３０１が行う場合もあり得る。
【０１１１】
本ステップで作成されたレーベル情報は、メモリ回路３０２に保持される。
【０１１２】
あるいは、ハードディスク装置３０４、情報記録媒体１００などに記録してもよい。情報記録媒体１００に記録されるときは、例えば、ファイル（ＬＡＢＥＬ．ＤＡＴ）４４３に記録される。
【０１１３】
本ステップにおいて、さらに、レーベル面記録状態情報１２６の更新を行ってもよい。
【０１１４】
例えば、レーベル面記録状態情報１２６が（状態１： レーベル面への記録が行われていない）であったら、本ステップでのレーベル情報の内容に応じて、（状態２： レーベル面の一部の領域が記録済である）や（状態３： レーベル面の全ての領域が記録済である）となるように、レーベル面記録状態情報１２６を更新し、情報記録媒体１００へ記録する。
【０１１５】
（ステップＳ２０６）情報記録再生装置３００は、情報記録媒体１００を排出する。
【０１１６】
（ステップＳ２０７）例えばユーザにより、排出された情報記録媒体１００を裏返し、レーベル面へ記録可能な状態で情報記録再生装置３００へ挿入する。
【０１１７】
（ステップＳ２０８）ドライブ制御部３１１は、管理データ領域１１１に含まれるデータを再生する。
【０１１８】
本ステップにおいて、第２媒体情報１１３Ａが再生され、メモリ回路３０２に格納される。
【０１１９】
あるいは、第２媒体情報１１３Ｂを再生し、メモリ回路３０２に格納する。
【０１２０】
（ステップＳ２０９）システム制御部３０１は、再生した第２媒体情報１１３に含まれる第２媒体識別情報１１４と、ステップＳ２０２で再生した第１媒体識別情報１２６の情報を比較し、一致しているかどうかを調べる。
【０１２１】
一致していると判断したら、正しい情報記録媒体１００が挿入されているので、ステップＳ１１１へ進む。
【０１２２】
一致していないと判断したら、誤った情報記録媒体１００が挿入されているので、ステップＳ１１０へ進む。
【０１２３】
なお、この媒体識別情報の比較処理については、ドライブ制御部３１１メモリ回路３１２内で実施するようにしてもよい。
【０１２４】
なお、情報記録媒体１００上での第１媒体識別情報１２６と第２媒体識別情報１１４のデータ形式は異なってもよい。この場合、情報記録再生装置３００内で所定の変換処理を行い、第１媒体識別情報１２６と第２媒体識別情報１１４の一致の判断を行えばよい。
【０１２５】
（ステップＳ２１０）情報記録再生装置３００、レーベル面へのレーベル情報の記録を行わない。また、システム制御部３０１およびドライブ制御部３１１は、所定のメッセージのユーザへの表示、情報記録媒体１００の排出などのエラー処理を行い、処理を終了する。
【０１２６】
（ステップＳ２１１）情報記録再生装置３００は、ドライブ装置３１０へ対し、レーベル情報の記録開始を指示する。
【０１２７】
ドライブ制御部は、記録再生部３１４を制御し、ステップＳ２０５で作成したレーベル情報をレーベル面へ記録し、処理を完了する。
【０１２８】
以上より、本発明の情報記録再生装置３００は、データ面における第１媒体識別情報１２４と、レーベル面における第２媒体識別情報１１４が一致するかどうかを調べることにより、情報記録再生装置３００からいったん取り出された情報記録媒体１００が、同一のものであることを確認し、同一であることが確認された場合にレーベル面の記録を実行する。
【０１２９】
これにより、データ面に記録したデータと不整合なデータをレーベル面に記録することがなくなり、情報記録媒体１００を無駄に消費することを回避できる。
【０１３０】
なお、情報記録媒体１００の種類においては、市場への出荷時に第１媒体情報１２３や、第２媒体情報１１３が全く記録されていない場合がありうる。
【０１３１】
このような情報記録媒体１００によっては、図８のフローチャートを参照して説明したデータ面とレーベル面の整合性を確認することができない。
【０１３２】
そこで、上述したように、情報記録再生装置３００は、図７に示す初期化処理を行う。
【０１３３】
これにより、以降のデータおよびレーベル情報の記録において、図８を参照して説明したのと同じ記録手順を実行することが可能となる。
【０１３４】
よって、データ面に記録したデータと不整合なデータをレーベル面に記録することがなくなり、情報記録媒体１００を無駄に消費することを回避できる。
【０１３５】
なお、情報記録媒体１００の種類によっては、市場への出荷時に第２媒体情報１１３のみが記録されていない場合がありうる。
【０１３６】
このような情報記録媒体１００においては、図８のフローチャートを参照して説明したデータ面とレーベル面の整合性を確認することができない。
【０１３７】
そこで、上述したように、情報記録再生装置３００は、図７に示す初期化処理を行う。
【０１３８】
ただし、この時、第２媒体情報１１３をレーベル面から先に再生し、得られた第２媒体識別情報１１４をデータ面の第１媒体識別情報１２４に設定するようにしてもよい。
【０１３９】
これにより、以降のデータおよびレーベル情報の記録において、図８を参照して説明したのと同じ記録手順を実行することが可能となる。
【０１４０】
また、情報記録媒体１０００のデータ面に、レーベル面記録可能情報１２５やレーベル面記録状態情報１２６を持つことにより、情報記録再生装置３００が、レーベル面へのレーベル情報が記録可能かどうかを知ることができる。これにより、ユーザがデータ面にデータを記録する前に、レーベル情報へのレーベル情報の記録が可能かどうかをユーザに知らせる、レーベル情報の編集を許可する、などの処理を行うこと可能となり、ユーザに対して使いやすい機能を提供可能となる。
【０１４１】
なお、第１媒体情報１２３については、その全てを記録する必要はなく、１媒体識別情報１２４、レーベル面記録可能情報１２５、レーベル面記録状態情報１２６のいずれかを必要に応じて記録するようにしても良い。これらの情報のそれぞれに対して固有の効果を得ることが可能である。
【０１４２】
なお、上述の実施の形態において、図１Ａなどに示した情報記録媒体１００は、１層のみの記録面を有するものとして説明したが、２層以上の記録面を有する情報記録媒体も存在し得る。
【０１４３】
また、追記型光ディスクであるＢＤ−Ｒディスクを例に説明したが、ＢＤ−ＲＥディスクのような書き換え型ディスクや、ＢＤ−ＲＯＭのような再生専用ディスクに対しても同様に適用可能である。
【産業上の利用可能性】
【０１４４】
以上のように、本発明にかかる情報記録媒体および記録装置は、その記録装置に含まれるホスト装置およびドライブ装置、その情報記録媒体に情報を記録する記録方法、並びにこれらの装置に記録動作を実行させるプログラムに対しても適用できる。
【図面の簡単な説明】
【０１４５】
【図１】(A)は本発明の実施の形態における情報記録媒体１００のデータ面における外観の一例を示す図(b)は本発明の実施の形態における情報記録媒体１００のレーベル面における外観の一例を示す図(c)は本発明の実施の形態における第２媒体情報１１３のデータ構造の一例を示す図
【図２】(A)は本発明の実施の形態における情報記録媒体１００のデータ構造の一例を示す図(b)は本発明の実施の形態における第１媒体情報１２３のデータ構造の一例を示す図
【図３】本発明の実施の形態におけるディスク管理構造２００のデータ構造の一例を示す図
【図４】図１Ｂに示されるユーザデータ領域１０８のデータ構造の一例を示す図
【図５】本発明の実施の形態におけるディレクトリ／ファイル構造の一例を示す図
【図６】本発明の実施の形態における情報記録再生装置３００の構成の一例を示すブロック図
【図７】本発明の実施の形態における初期化処理を示すフローチャート
【図８】本発明の実施の形態における記録処理を示すフローチャート
【符号の説明】
【０１４６】
１００    情報記録媒体
１１３    第２媒体情報
１２３    第１媒体情報
３００    情報記録再生装置
【図１】
2006331517.tif 000003
【図２】
2006331517.tif 000004
【図３】
2006331517.tif 000005
【図４】
2006331517.tif 000006
【図５】
2006331517.tif 000007
【図６】
2006331517.tif 000008
【図７】
2006331517.tif 000009
【図８】
2006331517.tif 000010